(57)【特許請求の範囲】
【請求項１】
上部の横框材及び下部の横框材の両端部間に一対の縦框材を配置して矩形枠状の枠体を組込み、当該枠体の少なくとも一面に前記枠体内を覆うように面材を設けるとともに、前記枠体の一面に、サイディング板等の建物外装材や出窓ユニット等の建物構成材などの重量部材を一体化した建築用パネルにおいて、前記枠体内に、パネル全体を吊り上げる際に、パネル全体重量を受け持つ吊り上げ補強部を設けており、
前記吊り上げ補強部を、前記枠体を構成する框材により構成したことを特徴とする建築用パネル。
【請求項２】
前記吊り上げ補強部を、前記上部の横框材により構成したことを特徴とする請求項１に記載の建築用パネル。
【請求項３】
前記吊り上げ補強部として機能する前記上部の横框材を、前記枠体の開口端縁が面一となるように、前記下部の横框材及び前記一対の縦框材と同一の面方向の幅寸法を有しているとともに、当該上部の横框材の厚さ寸法を、パネル全体重量を受け持つことが可能な厚さ寸法となるように、前記前記下部の横框材や前記一対の縦框材より大きな値に設定したことを特徴とする請求項２記載の建築用パネル。
【請求項４】
前記上部の横框材の厚さ寸法は、前記下部の横框材や前記一対の縦框材の厚さ寸法の略３倍以上であることを特徴とする請求項３記載の建築用パネル。
【発明の詳細な説明】
【０００１】
【発明の属する技術分野】
この発明は、サイディング板等の建物外装材や出窓ユニット等の建物構成材などの重量部材を一体化してなる建築用パネルに関する。
【０００２】
【背景の技術】
住宅の構築においては飛躍的に工業化が進んでおり、工場において、框材からなる矩形枠状の枠体に面材を貼設して建築用パネルを製作しておき、建築現場で建築用パネルを組み付けて住宅の床、壁、屋根などを構築することで、現場での施工の省力化を図るようにしている。
【０００３】
このような建築用パネルにより住宅の壁を構築する場合には、基本的に、クレーンなどの吊り上げ装置を建築用パネルに係合して立てた状態で吊り上げ、構築すべき壁の位置まで移動する。
【０００４】
ところで、近年、例えば工場において、サイディング板等の建物外装材や出窓ユニット等の建物構成材などを枠体に一体化し、現場施工の省力化をさらに促進させる建築用パネルが開発されている。
【０００５】
【発明が解決しようとする課題】
ところが、サイディング板や出窓ユニットなどの重量部材を組み込むと建築用パネルの重量が大きくなるので、吊り上げ装置に係合させる建築用パネルの上部に大重量が局部的に集中してしまう。そのため、重量部材を一体化する場合には、吊り上げ時の大重量に耐え得るように強固な建築用パネルを製作しなければならない。
【０００６】
強固な建築用パネルとしては、枠体を構成する全ての框材の断面を大きくしたり、枠体内に多くの補強棧材等を組み込むことが構造が考えられるが、このような構造に建築用パネルを製作すると、パネル製作費が大幅に上昇して建築コストの高騰化を招くおそれがある。
本発明は上記事情に鑑みてなされたものであり、重量部材を一体化しても、大重量のパネル全体重量を受け持って吊り上げることが可能な強固なパネル体を、製作費を抑えながら製作することができる建築用パネルを提供することにある。
【０００７】
【課題を解決するための手段】
上記課題を解決するために、本発明の建築用パネルは、上部の横框材及び下部の横框材の両端部間に一対の縦框材を配置して矩形枠状の枠体を組込み、当該枠体の少なくとも一面に前記枠体内を覆うように面材を設けるとともに、前記枠体の一面に、サイディング板等の建物外装材や出窓ユニット等の建物構成材などの重量部材を一体化した建築用パネルにおいて、前記枠体内に、パネル全体を吊り上げる際に、パネル全体重量を受け持つ吊り上げ補強部を設けており、
前記吊り上げ補強部を、前記枠体を構成する框材により構成した。
【０００８】
この発明によると、サイディング板等の建物外装材や出窓ユニット等の建物構成材などの重量部材を一体化しても、大重量のパネル全体を確実に吊り上げることができる。
また、前記吊り上げ補強部を、前記枠体内のパネル吊り上げ方向の上部に設けてもよい。
このようにすると、吊り上げ補強部に吊り上げ装置を係合して吊り上がるだけで建築用パネルを立てた状態で所定の位置に配置できるので、施工が容易となる。
【０００９】
また、吊り上げ補強部として特別な部材を組み込まずに製作できるので、パネル製作費を抑制できる。また、前記吊り上げ補強部を、前記上部の横框材により構成してもよい。このようにすると、施工の容易性と、パネル製作費の低減化とを同時に達成できる。
【００１０】
また、前記上部の横框材を、前記枠体の開口端縁が面一となるように、前記下部の横框材及び前記一対の縦框材と同一の面方向の幅寸法を有しているとともに、当該上部の横框材の厚さ寸法を、パネル全体重量を受け持つことが可能な厚さ寸法となるように、前記前記下部の横框材や前記一対の縦框材より大きな値に設定してもよい。
このようにすると、通常の建築用パネルと同様に開口端縁が面一となった枠体となり、平板の面材の貼設作業が容易となる。
【００１１】
さらに、上部の横框材の厚さ寸法は、前記下部の横框材や前記一対の縦框材の厚さ寸法の略３倍以上にするとよい。
このようにすると、パネル全体を吊り上げる際に、十分に曲げ耐力が発生してパネル全体重量を受け持つ吊り上げ補強部として確実に機能する。
【００１２】
【発明の実施の形態】
以下、図面を参照して本発明の実施の形態について説明する。本実施の形態では、住宅などの建築物の外壁を構成する建築用パネルについて説明する。
図１は、本発明に係る第１の建築用パネル２を示す斜視図であり、図２は、第１の建築用パネル２の縦断面を示すものである。
【００１３】
この第１の建築用パネル２は、上部の横框材４及び下部の横框材６の両端部間に一対の縦框材８、１０を配置して矩形枠状の枠体１２を組込み、枠体１２の内部に縦横に交差する複数の棧材１４を配置し、枠体１２の２方の面方向に面材１６、１８を貼設するとともに、一方の面材１８側に、複数の裏当て材２０を介してサイディング板２２を固定した構造としている。
【００１４】
ここで、枠体１２を構成する上部の横框材４、下部の横框材６、一対の縦框材８、１０と、複数の棧材１４の幅方向の寸法は、全て同一寸法Ｈに設定されている。これにより、枠体１２は開口端縁が面一となり、その２方の面方向に２枚の面材１６、１８が貼設可能となっている。
また、下部の横框材６、一対の縦框材８、１０、複数の棧材１４は、同一の厚さ方向の寸法Ｂに設定されているとともに、上部の横框材４の厚さ寸法だけが、他の部材より３倍の寸法（３Ｂ）に設定されている。
【００１５】
この上部の横框材４が、パネル全体を吊り上げる際にパネル全体重量を受け持つ吊り上げ補強部として機能する。
この上部の横框材４は、その厚さ寸法を他の部材より３倍の寸法（３Ｂ）としたので、この上部の横框材４に例えばクレーンなどの吊り上げ装置を係合してパネル全体を吊り上げても、十分な曲げ耐力を有してサイディング板２２の重量付加による大重量のパネル全体重量を受け持つことができる。
【００１６】
次に、図３は、図１及び図２で示した第１の建築用パネル２と、開口部２４を設け、サイディング板２２を貼設した第２の建築用パネル２６とを、立てた状態で横並びに配置した状態を示すものである。
第２の建築パネル２６も、第１の建築用パネル２と略同様の構造であり、枠体を構成している下部の横框材、一対の縦框材より、上部の横框材２８の厚さ寸法を大きく設定している。
【００１７】
このように、本実施の形態においては、第１の建築用パネル２では枠体１２の上部の横框材４、第２の建築用パネル２６では上部の横框材２８が、その厚さ寸法を他の框材の厚さ寸法の略３倍にすることで、パネル全体を吊り上げる際に、十分に曲げ耐力が発生してパネル全体重量を受け持つ吊り上げ補強部として機能するので、サイディング板２２のような重量部材を一体化しても、大重量のパネル全体を確実に吊り上げることができる。
【００１８】
そして、上部の横框材４、２８は吊り上げ方向の上部であり、これら上部の横框材４、２８に吊り上げ装置を係合して吊り上がるだけで第１の建築用パネル２、第２の建築用パネル２６を立てた状態で所定の位置に配置できるので、施工が容易になる。
また、吊り上げ補強部として特別な部材を使用せず、枠体１２を構成する框材を利用したので、パネル製作費を抑制することができる。
【００１９】
そして、第１の建築用パネル２の上部の横框材４は、下部の横框材６や一対の縦框材８、１０と同一の幅Ｈ寸法に設定し、その上部の横框材４の厚さ寸法を、パネル全体重量を受け持つことが可能な大きな幅寸法に設定していることから、上部の横框材４を吊り上げ補強部としても、通常の建築用パネルと同様に開口端縁が面一となった枠体１２となり、平板の面材１６、１８の貼設作業を容易に行うことができる。また、第２の建築用パネル２６の上部の横框材２８も、吊り上げ補強部としても、開口端縁が面一となった枠体としているので、面材の貼設作業も容易に行うことができる。
【００２０】
なお、本実施の形態では、サイディング板２２を一体化した建築用パネル２、２６について説明したが、出窓ユニット等のように建物構成材などの重量部材を一体化した建築用パネルに適用しても、同様の作用効果を得ることができる。
【００２１】
【発明の効果】
以上説明したように、本発明の建築用パネルによると、サイディング板等の建物外装材や出窓ユニット等の建物構成材などのような重量部材を一体化しても、大重量のパネル全体重量を受け持って吊り上げることが可能な強固なパネル体を、製作費を抑えながら製作することができる。
【図面の簡単な説明】
【図１】本発明に係る第１の建築用パネルを示す斜視図である。
【図２】第１の建築用パネルを示す縦断面図である。
【図３】本発明に係る第１の建築用パネル及び第２の建築用パネルを立てて横並びに配置した状態を示す図である。
【符号の説明】
４、２８  上部の横框材
１２  下部の横框材
８、１０縦框材
１２  枠体
１６、１８  面材
２２  サイディング板
２、２６  建築用パネル
【図１】
0004302258.tif 000002
【図２】
0004302258.tif 000003
【図３】
0004302258.tif 000004